(57)【特許請求の範囲】
【請求項１】
外径が２５ｍｍ以下の竿杆を少なくとも含み、前記竿杆の基材表面に粘着性を有する柔軟樹脂層を介して紫外線硬化型樹脂層が積層されて成る釣竿であって、
前記竿杆の外径が１０ｍｍ以上２５ｍｍ以下の場合にはこの竿杆に適用される前記柔軟樹脂層の厚さが８μｍ以上１５μｍ未満に設定され、前記竿杆の外径が１０ｍｍ未満の場合にはこの竿杆に適用される前記柔軟樹脂層の厚さが１５μｍ以上２０μｍ未満に設定されることを特徴とする釣竿。
【請求項２】
外径が２５ｍｍを超える竿杆を更に含み、この竿杆に適用される前記柔軟樹脂層の厚さが３μｍ以上８μｍ未満に設定されることを特徴とする請求項１に記載の釣竿。
【請求項３】
前記竿杆の外径寸法の減少に応じて該竿杆に適用される前記柔軟樹脂層の厚さを増大させることを特徴とする請求項１または請求項２に記載の釣竿。
【発明の詳細な説明】
【技術分野】
【０００１】
本発明は、塗装や装飾等を目的として、紫外線が照射されることにより硬化する紫外線硬化型樹脂（ＵＶ（ultraviolet）インクなど）層を基材の表面に有して成る釣竿に関し、特に、基材の表面に粘着性を有するプライマー層を介して紫外線硬化型樹脂層が積層されて成る釣竿に関する。
【背景技術】
【０００２】
紫外線が照射されることにより硬化するＵＶインクは、速乾性・耐久性に優れ、ガラス、木材、金属、プラスチックなど、多様な素材への印刷が可能であることから、従来から様々な分野で使用されている。
【０００３】
また、そのようなＵＶインクを用いる場合には、ＵＶインク滴の濡れ性を一定に保持する（したがって、着弾されたＵＶインク滴の直径を安定させる）とともにＵＶインクの付着性を向上させるために、一般に、粘着性を有する柔軟な樹脂層（下塗り層）としてのプライマー層を介してＵＶインクが積層される（例えば、特許文献１参照）。
【先行技術文献】
【特許文献】
【０００４】
【特許文献１】特開２０１３−５２３７８号公報
【発明の概要】
【発明が解決しようとする課題】
【０００５】
ところで、ＵＶインクは、その硬化収縮等に起因して剥離が生じ得ることが知られている。このようなＵＶインクの剥離は、特許文献１にも開示されるように、例えば、ＵＶインクの収縮に追従できるようなプライマー層を設けることで解決できるが、ＵＶインクおよびプライマー層が適用される基材が管状体である場合には、その管状体の曲率（直径寸法）によっては、前述した解決策だけでＵＶインクの剥離を完全に防止できない場合がある。
【０００６】
特に、管状体としての釣竿においては、魚の引きなどに起因して、その使用中に頻繁に撓みを受けるため、例えば、竿杆が軸方向の曲げを受けて竿杆の断面が扁平に潰れて変形する際には、曲率が大きい（直径寸法が小さい）竿杆部位がその変形により更に曲率を増して、その竿杆部位に位置するプライマー層およびその上に積層されるＵＶインクが周方向および軸方向に引っ張られてＵＶインクの剥離を生じる虞があり、単純にＵＶインクの収縮に追従するプライマー層を設けるだけではＵＶインクの剥離を防止できない。
【０００７】
本発明は、上記した問題に着目してなされたものであり、様々な曲率を有する竿杆の外面上の紫外線硬化型樹脂層の剥離を防止できる釣竿を提供することを目的とする。
【課題を解決するための手段】
【０００８】
上記した目的を達成するために、本発明は、外径が２５ｍｍ以下の竿杆を少なくとも含み、前記竿杆の基材表面に粘着性を有する柔軟樹脂層を介して紫外線硬化型樹脂層が積層されて成る釣竿であって、前記竿杆の外径が１０ｍｍ以上２５ｍｍ以下の場合にはこの竿杆に適用される前記柔軟樹脂層の厚さが８μｍ以上１５μｍ未満に設定され、前記竿杆の外径が１０ｍｍ未満の場合にはこの竿杆に適用される前記柔軟樹脂層の厚さが１５μｍ以上２０μｍ未満に設定されることを特徴とする。
【０００９】
上記した構成によれば、竿杆の曲率（外径）に応じた厚さの柔軟樹脂層を用いる（特に、竿杆の外径寸法の減少に応じて該竿杆に適用される柔軟樹脂層の厚さを増大させる）ことにより、柔軟樹脂層が、紫外線硬化型樹脂層の硬化時の収縮や釣竿使用時の撓みに確実に追従できるようになり、したがって、紫外線硬化型樹脂層の剥離を確実に防止できる。
【００１０】
なお、外径が２５ｍｍを超える竿杆を更に含む場合には、この竿杆に適用される柔軟樹脂層の厚さを３μｍ以上８μｍ未満に設定することが望ましい。
【発明の効果】
【００１１】
本発明によれば、様々な曲率を有する竿杆の外面上の紫外線硬化型樹脂層の剥離を防止できる釣竿が得られる。
【図面の簡単な説明】
【００１２】
【図１】（ａ）は外径が２５ｍｍ以下の竿杆のみにより構成される全体的に細い釣竿の全体側面図、（ｂ）は外径が２５ｍｍ以下の竿杆を含む全体的に太い釣竿の部分側面図である。
【図２】（ａ）は、外径が１０ｍｍ未満の竿杆および該竿杆の外面に積層される柔軟樹脂層および紫外線硬化型樹脂層の断面図、（ｂ）は、外径が１０ｍｍ以上２５ｍｍ以下の竿杆および該竿杆の外面に積層される柔軟樹脂層および紫外線硬化型樹脂層の断面図、（ｃ）は、外径が２５ｍｍを超える竿杆および該竿杆の外面に積層される柔軟樹脂層および紫外線硬化型樹脂層の断面図である。
【図３】図２の（ａ）〜（ｃ）に示される３種類の竿杆に関して紫外線硬化型樹脂層の剥離が生じない竿杆外径（曲率）と柔軟樹脂層厚さとの相関関係を示す実験結果のデータ表である。
【発明を実施するための形態】
【００１３】
以下、図面を参照しながら本発明に係る釣竿の実施形態について説明する。
図１の（ａ）は、外径が２５ｍｍ以下の竿杆のみにより構成される全体的に細い釣竿１の全体側面図を示し、一方、図１の（ｂ）は、外径が２５ｍｍ以下の竿杆を含む全体的に太い釣竿１Ａの部分側面図を示している。
【００１４】
ここで、図１の（ａ）に示される釣竿１は、複数の管状体としての竿杆、例えば、グリップ３と魚釣用リール３０が着脱自在に装着されるリールシート５とを有する外径が１０ｍｍ以上２５ｍｍ以下の元竿Ｂと、この元竿よりも細い外径が１０ｍｍ以上２５ｍｍ以下の１または複数の中竿Ｂ’及び／又は外径が１０ｍｍ未満の１または複数の中竿Ａ’と、釣糸締結具７ａを有するとともに中竿よりも細い外径が１０ｍｍ以上２５ｍｍ以下の穂先竿Ｂ”または外径が１０ｍｍ未満の穂先竿Ａとによって構成される。この場合、各竿杆（元竿、中竿、穂先竿）は、振出し式または並継ぎ式に構成されており、各竿杆を構成する竿本体（基材２０；図２参照）は、例えば、強化繊維に合成樹脂を含浸した繊維強化プリプレグを巻回することで形成される（スチール等の金属によって形成されてもよい）。
【００１５】
一方、図１の（ｂ）に示される釣竿１Ａも、複数の管状体としての竿杆が振出し式または並継ぎ式に構成されているが、それらの複数の竿杆のうちの一部（１本または複数本）だけが２５ｍｍ以下の外径寸法を有する。ここでは、例えば、図示しない穂先竿及び／又は１または複数の中竿だけが２５ｍｍ以下の外径寸法を有する竿杆Ａ，Ａ’（外径が１０ｍｍ未満）または竿杆Ｂ’，Ｂ”（外径が１０ｍｍ以上２５ｍｍ以下）として形成され、元竿杆Ｃ及び／又は１または複数の中竿杆Ｃ’を含むそれ以外の竿杆が２５ｍｍを超える外径寸法を有する。
【００１６】
図２に示されるように、各釣竿１，１Ａを構成する竿杆の少なくとも一部の外表面には、例えば装飾層５０として、竿杆の基材２０の表面に直接に或いは他の層を介在させて間接的に設けられる粘着性を有する柔軟な樹脂層（下塗り層またはプライマー層とも呼ばれる；以下、柔軟樹脂層という）３０Ａと、該柔軟樹脂層３０Ａ上に設けられて紫外線が照射されることにより硬化する紫外線硬化型樹脂（ＵＶインクなど）層３０Ｂとの積層構造３０が様々な方法（例えば、インクジェット印刷など）によって形成される。
【００１７】
ここで、柔軟樹脂層３０Ａを形成する樹脂は、紫外線硬化型樹脂の硬化時の収縮や釣竿使用時の撓みに確実に追従できるように、２０％以上の伸度を有し、例えばポリエステル、ウレタン、アクリルなどが使用される。
【００１８】
一方、紫外線硬化型樹脂層３０Ｂを形成するＵＶ樹脂は、紫外線が照射されることによって重合反応を起こし硬化するタイプの粘着性を有する樹脂である。具体的には、このＵＶ樹脂は、光重合性のオリゴマー、モノマー（エポキシアクリレート、ウレタンアクリレート、ポリエステルアクリレートなど）を主成分とし、触媒としての光重合開始剤を含むとともに、顔料、その他消泡剤等の補助剤を含んでもよい。そして、このＵＶ樹脂は、紫外線が照射されることで光重合開始剤がラジカルを発生するとともに、このラジカルがオリゴマーの重合を開始させ、このような重合反応によって硬化して印刷対象物に定着する。なお、光重合開始剤としては、様々な種類が存在するが、ベンゾフェノン系、ベンゾイン系、アセトフェノン系、チオキサントン系、アシルフォスフィンオキサイド系等が一般的に用いられる。
【００１９】
なお、装飾層２０の外側を無色透明層または着色透明層などによってコーティングしてもよい。この透明層は、溶剤を含む塗料（溶剤型インク）であってもよく、あるいは、紫外線硬化型の樹脂を含むＵＶインクであってもよい。
【００２０】
また、本実施形態の釣竿１，１Ａにおいては、それを構成する竿杆の外径（曲率）に応じて柔軟樹脂層の厚さを設定するようになっている。具体的には、図２の（ａ）は、外径が１０ｍｍ未満の前述した竿杆Ａ，Ａ’および該竿杆Ａ，Ａ’の外面に積層される柔軟樹脂層３０Ａおよび紫外線硬化型樹脂層３０Ｂの断面図を示し、図２の（ｂ）は、外径が１０ｍｍ以上２５ｍｍ以下の前述した竿杆Ｂ，Ｂ’，Ｂ”および該竿杆Ｂ，Ｂ’，Ｂ”の外面に積層される柔軟樹脂層３０Ａおよび紫外線硬化型樹脂層３０Ｂの断面図を示し、図２の（ｃ）は、外径が２５ｍｍを超える前述した竿杆Ｃ，Ｃ’および該竿杆Ｃ，Ｃ’の外面に積層される柔軟樹脂層３０Ａおよび紫外線硬化型樹脂層３０Ｂの断面図を示しているが、図３に示される表からも分かるように、外径が１０ｍｍ未満の竿杆Ａ，Ａ’（図２の（ａ）参照）の場合にはこの竿杆Ａ，Ａ’に適用される柔軟樹脂層３０Ａの厚さが１５μｍ以上２０μｍ未満に設定され、外径が１０ｍｍ以上２５ｍｍ以下の竿杆Ｂ，Ｂ’，Ｂ”の場合（図２の（ｂ）参照）にはこの竿杆Ｂ，Ｂ’，Ｂ”に適用される柔軟樹脂層３０Ａの厚さが８μｍ以上１５μｍ未満に設定され、外径が２５ｍｍを超える竿杆Ｃ，Ｃ’の場合（図２の（ｃ）参照）にはこの竿杆Ｃ，Ｃ’に適用される柔軟樹脂層３０Ａの厚さが３μｍ以上８μｍ未満に設定されるようになっている。つまり、竿杆の外径寸法の減少に応じて該竿杆に適用される柔軟樹脂層３０Ａの厚さを増大させるようになっている。
【００２１】
本発明者は、図２の（ａ）〜（ｃ）に示される３種類の竿杆に関して、図３に示されるような竿杆外径（曲率）Ａ（Ａ，Ａ’），Ｂ（Ｂ，Ｂ’，Ｂ”），Ｃ（Ｃ，Ｃ’）と柔軟樹脂層３０Ａの厚さとの相関関係を実験により見出し、少なくともこの相関関係が満たされる限り、柔軟樹脂層３０Ａが紫外線硬化型樹脂層３０Ｂの硬化時の収縮や釣竿使用時の撓みに追従して紫外線硬化型樹脂層３０Ｂの剥離が生じ得ないことを確認した。実際に、紫外線硬化型樹脂層３０Ｂの硬化収縮時はもとより、釣竿使用時に竿杆が軸方向の曲げを受けて竿杆の断面が扁平に潰れて変形する際には、曲率が大きい（直径寸法が小さい）竿杆部位がその変形により更に曲率を増して、その竿杆部位に位置する柔軟樹脂層３０Ａおよびその上に積層される紫外線硬化型樹脂層３０Ｂが周方向および軸方向に大きく引っ張られる。そのため、この曲率の大きい（外径が小さい）竿杆部位上に位置する柔軟樹脂層３０Ａが大きな変形（曲率増大）に追従するように厚く設定（本実施形態のように設定；図３参照）されていれば、紫外線硬化型樹脂層３０Ｂの剥離を防止できる。逆に、曲率が小さい（外径が大きい）竿杆部位では、釣竿使用時に竿杆が軸方向の曲げを受けて竿杆の断面が扁平に潰れて変形しても曲率がそれ程大きくならないため、柔軟樹脂層３０Ａの厚さを薄く設定できる（本実施形態のように設定できる；図３参照）。
【００２２】
なお、柔軟樹脂層３０Ａの厚さを３μｍ未満に設定すると、竿杆の外径が２５ｍｍを超えていても、柔軟樹脂層３０Ａと紫外線硬化型樹脂層３０Ｂとの密着性が低下し（柔軟樹脂層３０Ａが竿杆の変形にうまく追従できず）、紫外線硬化型樹脂層３０Ｂの剥離が生じ易くなる。一方、柔軟樹脂層３０Ａの厚さを２０μｍを超えるように設定すると、積層構造全体の重量が過度に増大し、結果として釣竿全体の重量増大を招き好ましくない。一方、紫外線硬化型樹脂層３０Ｂの厚さは、装飾層５０のデザインに応じて、例えば１０〜７０μｍに設定される。
【００２３】
以上説明したように、本実施形態の釣竿１，１Ａによれば、竿杆の曲率（外径）に応じた厚さの柔軟樹脂層３０Ａを用いる（特に、竿杆の外径寸法の減少に応じて該竿杆に適用される柔軟樹脂層３０Ａの厚さを増大させる）ことにより、柔軟樹脂層３０Ａが、紫外線硬化型樹脂層３０Ｂの硬化時の収縮や釣竿使用時の撓みに確実に追従できるようになり、したがって、紫外線硬化型樹脂層３０Ｂの剥離を確実に防止できる。
【００２４】
以上、本発明の実施形態を説明してきたが、本発明は、前述した実施形態に限定されず、その要旨を逸脱しない範囲で種々変形して実施できる。例えば、柔軟樹脂層の厚さは、竿杆の外径寸法の増大に反比例して直線的に減少（竿杆の外径寸法の減少に反比例して直線的に増大）されてもよい。
【符号の説明】
【００２５】
１，１Ａ  釣竿
Ａ，Ａ’，Ｂ，Ｂ’，Ｂ”，Ｃ，Ｃ’  竿杆
２０  基材
３０Ａ  柔軟樹脂層
３０Ｂ  紫外線硬化型樹脂層
【図１】
0005992884.tif 000002
【図２】
0005992884.tif 000003
【図３】
0005992884.tif 000004